(57)【要約】      （修正有）【課題】分岐部におけるまくらぎをコンクリート製まくらぎに交換することが効率良くできる交換用コンクリート製まくらぎの施工方法を提供する。【解決手段】分岐部に応じて交換用コンクリート製まくらぎ１０を施工する施工方法であって、分岐部における既設まくらぎを除去し、固定部材が設置されていないコンクリート製まくらぎ本体を既設まくらぎを除去した分岐部の所定位置に配置し、分岐部においてコンクリート製まくらぎ本体に固定部材を適切に配置できる固定位置に固定穴１５を形成し、固定穴に固定部材を設置することで分岐部に応じた位置に固定部材を設置する。【選択図】図１
2018076673.tif 000002
【特許請求の範囲】
【請求項１】
分岐部に応じて交換用コンクリート製まくらぎを施工する施工方法であって、
前記分岐部における既設まくらぎを除去し、
固定部材が設置されていないコンクリート製まくらぎ本体を前記既設まくらぎを除去した分岐部の所定位置に配置し、
前記分岐部において前記コンクリート製まくらぎ本体に前記固定部材を適切に配置できる固定位置に固定穴を形成し、
前記固定穴に前記固定部材を設置することで前記分岐部に応じた位置に前記固定部材を設置する、
ことを特徴とする交換用コンクリート製まくらぎの施工方法。
【請求項２】
前記コンクリート製まくらぎ本体の床板固定面の下方における該コンクリート製まくらぎ本体の側面を、隣接する交換用コンクリート製まくらぎと連結して一体化する、
請求項１に記載の交換用コンクリート製まくらぎの施工方法。
【請求項３】
請求項１または２に記載の交換用コンクリート製まくらぎの施工方法において使用する交換用コンクリート製まくらぎであって、
前記固定部材の配置位置を除く範囲に補強部材を配置したブロック状のコンクリート製まくらぎ本体を備え、
前記コンクリート製まくらぎ本体は、前記固定部材の配置可能な範囲に目印を有している、
ことを特徴とする交換用コンクリート製まくらぎ。
【請求項４】
前記コンクリート製まくらぎ本体は、床板固定面の下方における該コンクリート製まくらぎ本体の側面に、隣接する前記コンクリート製まくらぎ本体と連結する連結用固定部を備え、
少なくとも２本の前記コンクリート製まくらぎ本体は、前記連結用固定部が連結部材で連結されている、
請求項３に記載の交換用コンクリート製まくらぎ。
【請求項５】
前記コンクリート製まくらぎ本体に前記固定部材を配置し、
前記固定部材で前記コンクリート製まくらぎ本体に床板の長辺方向両端部を固定し、
前記床板と前記固定部材との接触部は、前記床板の中心を円の中心とする円弧状部に形成され、前記床板が前記固定部材の間で該床板の中心を中心として水平方向の面内で回動可能に構成され、
前記固定部材は、前記床板を回動させた状態で固定できるように構成されている、
請求項３または４に記載の交換用コンクリート製まくらぎ。
【請求項６】
前記床板は、長辺方向に差込式ヒータの挿入部を有し、
前記挿入部は、前記床板の長辺方向一端部に開口を有している、
請求項５に記載の交換用コンクリート製まくらぎ。
【発明の詳細な説明】
【技術分野】
【０００１】
本発明は、分岐部における木まくらぎなどと交換する交換用コンクリート製まくらぎの施工方法と、その交換用コンクリート製まくらぎに関する。
【背景技術】
【０００２】
従来、鉄道用の軌道部材であるまくらぎには、木まくらぎ、合成まくらぎ、コンクリート製まくらぎ（以下、コンクリート製まくらぎとして、ＰＣまくらぎ（プレストレストコンクリートまくらぎ）を例に説明する）などがある。近年の軌道では、ロングレール化などにより、高強度で長寿命化が図れるＰＣまくらぎが用いられている。
【０００３】
一方、分岐部におけるまくらぎは、長さが多種多様であるとともに、現地において、本線に沿って延びる基本レールと、分岐線へと導くトングレールの位置関係や曲率などの仕様から、それぞれのレールを固定する固定部材の取付位置を決める必要がある。このため、分岐部においては、一般的に現地で固定部材の取付位置を決めることができる木まくらぎや合成まくらぎが使用されている。そして、分岐部において基本レールやトングレールを適切な位置に固定できるように、固定部材の取付位置が決められて固定される。
【０００４】
なお、分岐部に関する先行技術として、分岐器用床板の長辺方向両端面を床板中心を円の中心とする円弧形状に形成し、この床板両端の円弧面に当接する床板締結装置の面を同一円弧面に形成した締結構造がある（例えば、特許文献１参照）。この締結構造では、床板を円弧面に沿って回動させることができる。
【先行技術文献】
【特許文献】
【０００５】
【特許文献１】特開２０００−２５７００１号公報
【発明の概要】
【発明が解決しようとする課題】
【０００６】
ところで、分岐部においては、分岐器の分岐線側はレールが曲線であるため、列車が通過する際に大きな横圧が発生する。このため、レールを締結している床板やタイプレートなどに大きな負荷がかかり、木まくらぎや合成まくらぎを使用している場合は、その負荷の繰り返しで床板やタイプレートが木まくらぎや合成まくらぎに食い込むことがある。そして、床板やタイプレートがまくらぎに食い込むと、レールの高さに狂いを生じるため、まくらぎを交換する必要がある。
【０００７】
しかし、分岐部においてまくらぎを交換するためには基本レールとトングレールを含む多くの部材を分離して除去する必要があり、作業が複雑で多くの時間を要する。したがって、分岐部におけるまくらぎの交換間隔を長くすることが望まれている。
【０００８】
この対策として、例えば、分岐部に高強度で長寿命化が図れるＰＣまくらぎなどのコンクリート製まくらぎを用いることが考えられる。しかし、コンクリート製まくらぎは工場において、予め金型内の所定位置にインサートやＰＣ鋼材などの補強部材を配置してコンクリートで固めて製造される。このため、分岐部における多種多様なまくらぎとして用いるには、その分岐部に適した位置にインサートを配置した多種多様のコンクリート製まくらぎを製造する必要があり、多くの金型が必要になり、生産効率が非常に悪くなる。
【０００９】
なお、上記特許文献１に記載の締結構造では、分岐部における基本レールとトングレールの角度に応じて床板を回動させることである程度の調節はできるが、多種多様の分岐部における全ての仕様に対応するためには複数種類が必要であり、この場合も生産効率が悪くなる。
【００１０】
そこで、本発明は、分岐部におけるまくらぎをコンクリート製まくらぎに交換することが効率良くできる交換用コンクリート製まくらぎの施工方法と、その交換用コンクリート製まくらぎを提供することを目的とする。
【課題を解決するための手段】
【００１１】
上記目的を達成するために、本発明に係る交換用コンクリート製まくらぎの施工方法は、分岐部に応じて交換用コンクリート製まくらぎを施工する施工方法であって、前記分岐部における既設まくらぎを除去し、固定部材が設置されていないコンクリート製まくらぎ本体を前記既設まくらぎを除去した分岐部の所定位置に配置し、前記分岐部において前記コンクリート製まくらぎ本体に前記固定部材を適切に配置できる固定位置に固定穴を形成し、前記固定穴に前記固定部材を設置することで前記分岐部に応じた位置に前記固定部材を設置する。この明細書及び特許請求の範囲の書類中における「固定部材」は、「ショルダー」、「インサート」などの部材を含む。
【００１２】
この構成により、分岐部における基本レールやトングレールの構成などに応じて、現地にてコンクリート製まくらぎ本体の適切な位置に固定部材を固定することができ、多種多様な分岐部の仕様に応じて、交換用コンクリート製まくらぎを適切に施工することができる。分岐部のまくらぎをコンクリート製まくらぎに交換することで、長期間の安定した位置保持と長寿命化を図ることができる。
【００１３】
また、前記コンクリート製まくらぎ本体の床板固定面の下方における該コンクリート製まくらぎ本体の側面を、隣接する交換用コンクリート製まくらぎと連結して一体化するようにしてもよい。
【００１４】
このように構成すれば、レール配置部の下方において隣接するコンクリート製まくらぎ本体が連結されるため、バラストの充填が不十分となりやすい分岐部におけるまくらぎの剛性を高めることができる。しかも、床板固定面の下方で連結しているので、まくらぎの周囲に敷き詰められるバラストを固める作業に影響することもない。
【００１５】
一方、本発明に係る交換用コンクリート製まくらぎは、前記いずれかの交換用コンクリート製まくらぎの施工方法において使用する交換用コンクリート製まくらぎであって、前記固定部材の配置位置を除く範囲に補強部材を配置したブロック状のコンクリート製まくらぎ本体を備え、前記コンクリート製まくらぎ本体は、前記固定部材の配置可能な範囲に目印を有している。この明細書及び特許請求の範囲の書類中における「補強部材」は、ＰＣ鋼材を含む。
【００１６】
この構成により、分岐部に配置するコンクリート製まくらぎ本体は、固定部材を配置する部分の目印が固定部材の配置部となるように容易に配置することができる。その後、基本レールとトングレールの配置が適切にできる目印の範囲に固定部材を設置するように固定穴が形成され、その固定穴を用いて固定部材を適切に設置することができる。よって、分岐部の仕様に応じて、適切な位置にショルダーやインサートなどの固定部材を固定することが容易にできる。分岐部のまくらぎをコンクリート製まくらぎに交換することで、長期間の安定した位置保持と長寿命化を図ることができる。
【００１７】
また、前記コンクリート製まくらぎ本体は、床板固定面の下方における該コンクリート製まくらぎ本体の側面に、隣接する前記コンクリート製まくらぎ本体と連結する連結用固定部を備え、少なくとも２本の前記コンクリート製まくらぎ本体は、前記連結用固定部が連結部材で連結されていてもよい。
【００１８】
このように構成すれば、分岐部に配置するコンクリート製まくらぎ本体同士を連結部材で容易に連結することができる。これにより、交換用コンクリート製まくらぎに分岐器などの機器を配置することでバラストを十分に敷き詰めることが難しい部分でも、連結された複数のコンクリート製まくらぎ本体によって剛性を高めて長期間の安定した位置保持を図ることができる。
【００１９】
また、前記コンクリート製まくらぎ本体に前記固定部材を配置し、前記固定部材で前記コンクリート製まくらぎ本体に床板の長辺方向両端部を固定し、前記床板と前記固定部材との接触部は、前記床板の中心を円の中心とする円弧状部に形成され、前記床板が前記固定部材の間で該床板の中心を中心として水平方向の面内で回動可能に構成され、前記固定部材は、前記床板を回動させた状態で固定できるように構成されていてもよい。
【００２０】
このように構成すれば、コンクリート製まくらぎ本体に固定部材を取り付けた後でも、基本レールとトングレールの角度などに応じて床板を水平方向の面内で回動させて適切な角度に調節することが容易にできる。
【００２１】
また、前記床板は、長辺方向に差込式ヒータの挿入部を有し、前記挿入部は、前記床板の長辺方向一端部に開口を有していてもよい。
【００２２】
このように構成すれば、分岐部における床板の挿入部に差込式ヒータを備えさせることができる。そして、差込式ヒータを点検・交換する場合には、床板を回動させることで床板の長辺方向一端部の開口部を固定部材の側方に向けて開放することができる。これにより、開口部から差込式ヒータを引き抜いて点検・交換することができる。したがって、分岐部の床板に差込式ヒータを備えさせた場合には、効率良く差込式ヒータの点検・交換などの保守作業を行うことができる。
【発明の効果】
【００２３】
本発明によれば、分岐部のまくらぎを交換用コンクリート製まくらぎとする場合に、分岐部に応じて固定部材を適切な位置に配置して施工することが可能となる。これにより、分岐部のまくらぎの長寿命化を図ることができる。また、複数のコンクリート製まくらぎ本体を連結することで、機器を配置する部分などをより剛性の高い交換用コンクリート製まくらぎとすることが可能となる。
【図面の簡単な説明】
【００２４】
【図１】図１は、本発明の第１実施形態に係る交換用ＰＣまくらぎを示す図面であり、（Ａ）は平面図、（Ｂ）は正面図、（Ｃ）はＩ−Ｉ矢視の断面図である。
【図２】図２は、本発明の第２実施形態に係る交換用ＰＣまくらぎを示す図面であり、（Ａ）は平面図、（Ｂ）はII−II矢視の断面図である。
【図３】図３は、図２に示すIII−III矢視の拡大断面図である。
【図４】図４は、本発明に係る交換用ＰＣまくらぎに交換した分岐部の平面図である。
【図５】図５は、図４に示すＶ−Ｖ矢視の拡大断面図である。
【図６】図６は、図４に示すVI部の平面図であり、（Ａ）は回動前の状態を示す平面図、（Ｂ）は回動後の状態を示す平面図である。
【図７】図７は、図６に示す床板の他の実施形態に係る床板を示す図面であり、（Ａ）は回動前の状態を示す平面図、（Ｂ）は回動後の状態を示す平面図である。
【発明を実施するための形態】
【００２５】
以下、本発明の実施形態を図面に基づいて説明する。以下の実施形態では、図４に示す分岐部１００において、トングレール１０２がスライドする部分に配置される交換用コンクリート製まくらぎ（以下、交換用ＰＣまくらぎ１０）を例に説明する。また、交換用ＰＣまくらぎ１０に固定される固定部材として、線ばね式締結具５５（図５）を取り付けるショルダー３０を例に説明する。この明細書及び特許請求の範囲の書類中では、交換用ＰＣまくらぎ１０の長手方向と交差する基本レール１０１の延びる方向を軌道方向Ｒ（図４）という。軌道方向Ｒに対して直交する方向を左右方向という。
【００２６】
（交換用ＰＣまくらぎの第１実施形態）
図１は、第１実施形態に係る交換用ＰＣまくらぎ（交換用コンクリート製まくらぎ）１０を示す図面であり、（Ａ）は平面図、（Ｂ）は正面図である。第１実施形態の交換用ＰＣまくらぎ１０は、軌道方向と交差する方向に所定長さを有し、矩形状断面に形成されたブロック状のＰＣまくらぎ本体１１を有している。ＰＣまくらぎ本体１１の上面には、長手方向の左右位置に離れて床板固定面１２が形成されている。床板固定面１２は、ＰＣまくらぎ本体１１の上面から凹状に形成されている。この床板固定面１２の左右位置が、ショルダー（固定部材）３０の配置部１３となる。
【００２７】
ＰＣまくらぎ本体１１の内部には、ショルダー（固定部材）３０の配置部１３を除く範囲にＰＣ鋼材（補強部材）１６が設けられている。ＰＣ鋼材１６の配置は、ショルダー３０を配置部１３の所定範囲に設置することができる配置となっている。
【００２８】
そして、上記ショルダー３０の配置部１３に、ショルダー３０（固定部材）を配置可能な範囲として目印１４が設けられている。目印１４は、ＰＣまくらぎ本体１１の内部にＰＣ鋼材１６が設けられていない位置で、ショルダー３０を配置することが可能な範囲である。すなわち、目印１４の範囲は、分岐部１００においてＰＣまくらぎ本体１１にアンカー穴（固定孔）１５を形成することが可能な範囲となっている。図示する目印１４は一例である。目印１４は、ショルダー３０（固定部材）３０を配置するアンカー穴１５を設けるまで示されていればよく、インクなどによって示すことができる。目印１４を設ける位置としては、多種多様な分岐部１００において利用可能な範囲とすることができる。
【００２９】
なお、図示するＰＣまくらぎ本体１１の下面には、弾性被覆部材１７が設けられている。弾性被覆部材１７は、ＰＣまくらぎ本体１１とバラストとの間に介在させる弾性部材であり、ゴム材などを用いることができる。
【００３０】
この交換用ＰＣまくらぎ１０によれば、後述する分岐部１００において、ＰＣまくらぎ本体１１の床板固定面１２に固定する床板５０が基本レール１０１とトングレール１０２を配置するのに適切な位置となるように、目印１４の範囲にショルダー３０を配置するためのアンカー穴１５が設けられる。アンカー穴１５は、目印１４の範囲に設けることで、ＰＣまくらぎ本体１１の内部に設けられたＰＣ鋼材１６を避けた適切な位置に設けることができる。
【００３１】
したがって、上記交換用ＰＣまくらぎ１０によれば、ブロック状のＰＣまくらぎ本体１１を有する交換用ＰＣまくらぎ１０を製作しておき、分岐部１００（現地）において、基本レール１０１とトングレール１０２を配置する床板５０を適切に配置できるように、後付けでショルダー３０やインサートなどの固定部材が設置される。したがって、多種多様な分岐部１００の仕様に応じて適切な位置にショルダー３０やインサートなどの固定部材を固定することができ、分岐部１００に使用する交換用ＰＣまくらぎ１０の種類を少なくして、生産効率良く交換用ＰＣまくらぎ１０を製造することが可能となる。
【００３２】
（交換用ＰＣまくらぎの第２実施形態）
図２は、第２実施形態に係る交換用ＰＣまくらぎ（交換用コンクリート製まくらぎ）２０を示す図面であり、（Ａ）は平面図、（Ｂ）はII−II矢視の断面図である。図３は、図２に示すIII−III矢視の拡大断面図である。第２実施形態の交換用ＰＣまくらぎ２０は、隣接するＰＣまくらぎ本体２１同士を連結して剛性を高めた例である。なお、上記第１実施形態の交換用ＰＣまくらぎ１０における配置部１３、目印１４、アンカー穴（固定孔）１５、ＰＣ鋼材１６、弾性被覆部材１７と同一の構成には、配置部２３、目印２４、アンカー穴（固定孔）２５、ＰＣ鋼材２６、弾性被覆部材２７の符号を付して、それらの説明は省略する。
【００３３】
この実施形態の交換用ＰＣまくらぎ２０も、軌道方向と交差する方向に所定長さを有し、矩形状断面に形成されたブロック状のＰＣまくらぎ本体２１を有している。ＰＣまくらぎ本体２１の上面には、長手方向の左右位置に離れて床板固定面２２が形成されている。
【００３４】
そして、交換用ＰＣまくらぎ２０は、２本のＰＣまくらぎ本体２１の床板固定面２２の下方における側面が、連結部材２９によって連結されている。この図では、２本のＰＣまくらぎ本体２１が連結部材２９によって連結されている。
【００３５】
図３に示すように、ＰＣまくらぎ本体２１には、予め連結部材２９を固定するための連結用固定部材２８が備えられている。連結用固定部材２８は、ＰＣまくらぎ本体２１の成形時に一体的に埋め込まれている。連結用固定部材２８は、中心部分に雌ねじ部２８ａが設けられたアンカーとなっている。
【００３６】
また、図２に示すように、この実施形態の連結部材２９は、Ｈ形鋼２９ａの両端面に面板２９ｂが固定されたものとなっている。Ｈ形鋼２９ａと面板２９ｂは溶接で一体化されており、面板２９ｂには、左右位置にボルト穴２９ｃが設けられている。連結部材２９は、面板２９ｂがＰＣまくらぎ本体２１の連結用固定部材２８に設けられた雌ねじ部２８ａにボルト２９ｄで固定される。この実施形態における交換用ＰＣまくらぎ２０は、少なくとも２本のＰＣまくらぎ本体２１を連結部材２９で連結したものを用いることができるが、図に二点鎖線で示すように、さらに複数のＰＣまくらぎ本体２１を連結部材２９で連結することができる。
【００３７】
第２実施形態の交換用ＰＣまくらぎ２０によれば、連結部材２９で２本のＰＣまくらぎ本体２１を一体的に連結することで剛性が高い交換用ＰＣまくらぎ２０となっている。このため、交換用ＰＣまくらぎ２０によれば、分岐部１００において転てつ棒１０３や控え棒１０４（図４）などを配置することでバラストを敷き詰めることが難しい部分でも、連結された複数のＰＣまくらぎ本体２１によって剛性を高めて長期間の安定した位置保持を図ることが可能となる。しかも、床板固定面２２の下方で連結部材２９によって連結しているので、交換用ＰＣまくらぎ２０の周囲に敷き詰められるバラストを固める作業に影響することもない。
【００３８】
（分岐部における交換用ＰＣまくらぎの配置例）
図４は、交換用ＰＣまくらぎ１０，２０に交換した分岐部１００の平面図であり、図５は、図４に示すＶ−Ｖ矢視の拡大断面図である。この例は、主に上記第１実施形態に係る交換用ＰＣまくらぎ１０を用い、一部に上記交換用ＰＣまくらぎ２０を用いた例となっている。
【００３９】
図４に示す分岐部１００は、基本レール１０１に対して図示する上方にトングレール１０２が配置されており、緩やかに分岐する例を示している。トングレール１０２の端部は転てつ棒１０３で結合されており、転てつ器（図示略）によって図の状態から下方に向けて切り替えられる。トングレール１０２の中間部分は控え棒１０４で連結されており、横剛性が保たれている。トングレール１０２は、図示する左端の部分が転てつ棒１０３で基本レール１０１に密着させられる。図示する状態は、トングレール１０２の端部が図の上方に位置させられており、列車は基本レール１０１に沿って走行する。転てつ棒１０３でトングレール１０２の端部を図の下方に切り替えることで、列車は基本レール１０１からトングレール１０２へと分岐させられる。
【００４０】
図示する分岐部１００において、まくらぎを交換用ＰＣまくらぎ１０，２０に交換する作業としては、既設のまくらぎが除去され、固定部材が設置されていないＰＣまくらぎ本体１１，２１が分岐部１００の所定位置に配置される。そして、分岐部１００において、基本レール１０１とトングレール１０２の配置が適切にできる目印１４（図１）、目印２４（図２）の範囲にショルダー３０を設置するアンカー穴１５，２５（固定穴）が設けられる（図１，２）。そして、アンカー穴１５，２５にショルダー３０を設置することで（図５）、分岐部１００における交換用ＰＣまくらぎ１０，２０を配置する場所などに応じた位置にショルダー３０（固定部材）を設置することができる。
【００４１】
図５にも示すように、上記分岐部１００における交換用ＰＣまくらぎ１０のＰＣまくらぎ本体１１には、所定位置にショルダー３０が固定される。ショルダー３０は、ＰＣまくらぎ本体１１の配置部１３における目印１４（図１）の範囲で、基本レール１０１とトングレール１０２とが適切に配置できる位置に床板５０を固定するように設けられる。ＰＣまくらぎ本体１１にアンカー穴１５が形成され、そのアンカー穴１５にショルダー３０がねじ込まれて固定される（図５では、アンカー穴１５をショルダー３０をねじ込み部分と同一形状で示す）。
【００４２】
そして、ショルダー３０の間に床板５０が線ばね式締結具５５で固定され、この床板５０に基本レール１０１がレールブレス５６で固定され、トングレール１０２が水平方向にスライド可能なように配置される。このようにして、多種多様な分岐部１００において、基本レール１０１とトングレール１０２の配置が適切にできるように交換用ＰＣまくらぎ１０（２０）に交換する施工ができる。
【００４３】
さらに、上記分岐部１００によれば、図４に示すように控え棒１０４が設けられた位置に交換用ＰＣまくらぎ２０が用いられており、控え棒１０４が設けられた部分においても、２本のＰＣまくらぎ本体２１が連結された交換用ＰＣまくらぎ２０によって剛性を高め、長期間の安定した位置保持などを図ることができる。
【００４４】
（分岐部における床板の構成）
図６は、図４に示すVI部の平面図であり、（Ａ）は回動前の状態を示す平面図、（Ｂ）は回動後の状態を示す平面図である。なお、図６（Ｂ）は、ＰＣまくらぎ本体１１の傾きを誇張している。
【００４５】
図６（Ａ）に示すように、この実施形態の交換用ＰＣまくらぎ１０に固定される床板５０は、ショルダー３０との接触部である長辺方向両端部が、床板５０の中心５１を中心とする円弧状部５２に形成されている。また、ＰＣまくらぎ本体１１に配置するショルダー３０の床板押え部３１には、床板５０の円弧状部５２と同一の円弧状部３２が形成されている。いずれの円弧状部５２，３２も、床板５０の中心５１を円の中心とする円弧となっている。これにより、床板５０は、床板押え部３１の間において水平方向の面内で回動可能となっている。床板５０は、長辺方向両端部がショルダー３０の床板押え部３１によってＰＣまくらぎ本体１１に固定される。
【００４６】
図６（Ｂ）に示すように、このような交換用ＰＣまくらぎ１０によれば、例えば、ＰＣまくらぎ本体１１の設置が多少傾いたとしても、床板５０とショルダー３０の円弧状部５２，３２により、基本レール１０１とトングレール１０２を基準に床板５０が適切な角度となるように回動させることができる。そして、床板５０を回動させた状態で、長辺方向両端部をショルダー３０の床板押え部３１でＰＣまくらぎ本体１１に固定することができる。
【００４７】
このように、ＰＣまくらぎ本体１１にショルダー３０などの固定部材を取り付けた後でも、ショルダー３０の固定位置や、交換用ＰＣまくらぎ１０の配置位置の誤差などを床板５０の角度調節で吸収することができる。したがって、基本レール１０１またはトングレール１０２の角度などに応じて床板５０を適切な角度に調節することが容易にできる。
【００４８】
（分岐部における床板の他の実施形態）
図７は、図６に示す床板５０の他の実施形態に係る床板５０を示す図面であり、（Ａ）は回動前の状態を示す平面図、（Ｂ）は回動後の状態を示す平面図である。この実施形態は、床板５０に融雪用の差込式ヒータ４０を備えさせた例である。なお、図６と同一の構成には同一符号を付して、その説明は省略する。
【００４９】
図７（Ａ）に示すように、床板５０には基本レール１０１の固定位置から水平方向に延びるように、トングレール１０２がスライドするスライド部５３が設けられている。このスライド部５３の長辺方向に延びるように、差込式ヒータ４０の挿入部５４が設けられている。挿入部５４は、床板５０の内部に設けられており、差込式ヒータ４０は、床板５０の長辺方向一端部（図の左端）に設けられた開口５４ａ（図７（Ｂ））から挿入部５４に差し込むようになっている。
【００５０】
図７（Ｂ）に示すように、上記交換用ＰＣまくらぎ１０によれば、差込式ヒータ４０の保守点検を行う場合、レールブレス５６及び線ばね式締結具５５と床板５０を押えている線ばね式締結具５５を取り外す。これにより、基本レール１０１及びトングレール１０２を床板５０の上方から取り除くことなく床板５０を大きく回動させることができ、床板５０の開口５４ａをショルダー（固定部材）３０から側方にずれた位置にできる。したがって、分岐部１００における床板５０に備えさせた差込式ヒータ４０を点検・交換する場合には、床板５０を開口５４ａがショルダー３０から側方にずれる位置まで大きく回動させ、その開口５４ａから差込式ヒータ４０を引き抜いて点検・交換することができる。差込式ヒータ４０の点検・交換後は、床板５０を逆方向に回動させて、長辺方向両端部をショルダー３０の床板押え部３１でＰＣまくらぎ本体１１に固定することができる。
【００５１】
このように、分岐部１００の床板５０に差込式ヒータ４０を備えさせた場合には、基本レール１０１及びトングレール１０２を床板５０の上方から取り除くことなく、効率良く差込式ヒータ４０の点検・交換などの保守作業を行うことが可能となる。
【００５２】
（総括）
以上のように、上記交換用ＰＣまくらぎ（交換用コンクリート製まくらぎ）１０（２０）の施工方法によれば、分岐部１００における多種多様な仕様において、少ない種類の交換用ＰＣまくらぎ１０（２０）で適切な位置にショルダー３０などの固定部材を設けることができる。よって、分岐部１００における交換用ＰＣまくらぎ１０（２０）を生産効率良く製造することが可能となる。しかも、分岐部１００における既設まくらぎを除去した後に交換用ＰＣまくらぎ（交換用コンクリート製まくらぎ）１０（２０）を配置することで、分岐部１００におけるまくらぎを高強度化して長寿命化を図ることが可能となる。
【００５３】
また、分岐部１００におけるまくらぎを高強度で長寿命化が図れる交換用ＰＣまくらぎ（交換用コンクリート製まくらぎ）１０（２０）に交換することで、列車が通過する際に大きな横圧が発生する分岐部１００においてレールの高さに狂いを生じることを防ぐことができる。よって、分岐部１００におけるまくらぎを交換する期間を大幅に延ばすことが可能となる。
【００５４】
さらに、分岐部１００における床板５０を、この床板５０の中心を中心として水平方向の面内で回動可能とすることで、床板５０の上方からレールを除去することなく融雪用の差込式ヒータ４０の保守点検を容易に行うことができ、分岐部１００における保守点検作業に要する労力・時間の大幅な低減が可能となる。
【００５５】
なお、上記した実施形態の分岐部１００は一例であり、曲率が異なる分岐部１００や機器の構成が異なる分岐部１００でも同様に交換用ＰＣまくらぎ１０（２０）を用いることができ、分岐部１００の構成は上記実施形態に限定されるものではない。
【００５６】
また、上記した実施形態における交換用ＰＣまくらぎ１０（２０）は一例であり、断面形態の異なる交換用コンクリート製まくらぎや長手方向の長さが異なる交換用コンクリート製まくらぎなどにおいても同様に構成することができ、交換用ＰＣまくらぎ１０（２０）の形態は上記実施形態に限定されるものではない。
【００５７】
さらに、上記した実施形態は一例を示しており、本発明の要旨を損なわない範囲での種々の変更は可能であり、本発明は上記した実施形態に限定されるものではない。
【符号の説明】
【００５８】
１０  交換用ＰＣまくらぎ
１１  ＰＣまくらぎ本体
１２  床板固定面
１３  配置部
１４  目印
１５  アンカー穴（固定孔）
２０  交換用ＰＣまくらぎ
２１  ＰＣまくらぎ本体
２２  床板固定面
２３  配置部
２４  目印
２８  連結用固定部材
２９  連結部材
３０  ショルダー（固定部材）
３１  床板押え部
３２  円弧状部
４０  差込式ヒータ
５０  床板
５１  中心
５２  円弧状部
５４  挿入部
１００  分岐部
１０１  基本レール
１０２  トングレール
【図１】
2018076673.tif 000003
【図２】
2018076673.tif 000004
【図３】
2018076673.tif 000005
【図４】
2018076673.tif 000006
【図５】
2018076673.tif 000007
【図６】
2018076673.tif 000008
【図７】
2018076673.tif 000009